(57)【要約】【課題】無線端末の消費電力を抑制しつつ、使用環境に応じた最適なノイズキャンセル処理を実行すること。【解決手段】管理装置は、無線端末から音声信号と位置情報とを受信する受信部と、予め設定された複数のエリアのそれぞれに対し時間帯に応じて対応付けられた複数のノイズキャンセル設定データをテーブルとして記憶する記憶部と、ノイズキャンセル設定データを、位置情報と音声信号を受信した時刻とに基づいて、テーブルから選択する設定部と、設定部が選択したノイズキャンセル設定データに従って、音声信号に対するノイズキャンセル処理を実行し、ノイズキャンセル処理済みの音声信号を生成するノイズキャンセル処理部と、ノイズキャンセル処理済みの音声信号を、無線端末とは異なる他の無線端末に送信する送信部と、を備える。【選択図】図２
2020155866.tif 000002
【特許請求の範囲】
【請求項１】
無線端末から音声信号と位置情報とを受信する受信部と、
予め設定された複数のエリアのそれぞれに対し時間帯に応じて対応付けられた複数のノイズキャンセル設定データをテーブルとして記憶する記憶部と、
前記ノイズキャンセル設定データを、前記位置情報と前記音声信号を受信した時刻とに基づいて、前記テーブルから選択する設定部と、
前記設定部が選択したノイズキャンセル設定データに従って、前記音声信号に対するノイズキャンセル処理を実行し、ノイズキャンセル処理済みの音声信号を生成するノイズキャンセル処理部と、
前記ノイズキャンセル処理済みの音声信号を、前記無線端末とは異なる他の無線端末に送信する送信部と、
を備える、管理装置。
【請求項２】
前記ノイズキャンセル処理済みの音声信号の音声を出力する音声出力部を備える、
請求項１に記載の管理装置。
【請求項３】
前記設定部は、前記位置情報が示す位置に基づいてエリアを特定し、前記時間帯のうちから前記時刻を特定することによって、前記テーブルからノイズキャンセル設定データを選択する、
請求項１または２に記載の管理装置。
【請求項４】
無線端末から音声信号を受信する受信ステップと、
前記音声信号を受信した時刻と前記音声信号を受信した時刻の直近に受信した位置情報とに基づいて、予め設定された複数のエリアのそれぞれに対し時間帯に応じて対応付けられた複数のノイズキャンセル設定データのテーブルからノイズキャンセル設定データを選択する設定ステップと、
前記設定ステップで選択されたノイズキャンセル設定データに従って、前記音声信号に対するノイズキャンセル処理を実行し、ノイズキャンセル処理済みの音声信号を生成するノイズキャンセル処理ステップと、
前記ノイズキャンセル処理済みの音声信号を、前記無線端末とは異なる他の無線端末に送信する送信ステップと、
を含む、管理方法。
【請求項５】
管理装置のコンピュータに、
無線端末から音声信号と位置情報とを受信させる受信ステップと、
前記音声信号を受信した時刻と前記音声信号を受信した時刻の直近に受信した位置情報とに基づいて、予め設定された複数のエリアのそれぞれに対し時間帯に応じて対応付けられた複数のノイズキャンセル設定データのテーブルからノイズキャンセル設定データを選択させる設定ステップと、
前記設定ステップで選択されたノイズキャンセル設定データに従って、前記音声信号に対するノイズキャンセル処理を実行させ、ノイズキャンセル処理済みの音声信号を生成させるノイズキャンセル処理ステップと、
前記ノイズキャンセル処理済みの音声信号を、前記無線端末とは異なる他の無線端末に送信させる送信ステップと、
を実行させる、プログラム。
【発明の詳細な説明】
【技術分野】
【０００１】
本発明は、管理装置、管理方法及びプログラムに関する。
【背景技術】
【０００２】
使用現場のノイズに埋もれることなく明瞭な送信音質を確保するために、ノイズキャンセル機能を有する無線通信装置がある。例えば特許文献１においては、通話中においてハンズフリー通話機能が実行されていない場合は、第１マイクからの出力信号及び第２マイクからの出力信号に基づいて第１マイクからの出力信号に対するノイズキャンセルを実行し、そして通話中においてハンズフリー通話機能を実行する入力が検出された場合は、第１マイクと第２マイクのうち第１マイクからの出力信号のみに基づいて第１マイクからの出力信号に対するノイズキャンセル処理を実行する技術が開示されている。
【先行技術文献】
【特許文献】
【０００３】
【特許文献１】特許第５８６９６１７号公報
【発明の概要】
【発明が解決しようとする課題】
【０００４】
しかしながら、特許文献１の技術のように通信端末側でノイズキャンセル処理を実行する場合、通信端末周囲のノイズ状況を解析し、その特性に適したフィルタ特性を求めなければならず、処理負担の大きな演算を要する。そのため、通信端末の消費電力の増大によりバッテリ稼働時間が減少してしまうおそれがある。
【０００５】
本発明は、無線端末の消費電力を抑制しつつ、使用環境に応じた最適なノイズキャンセル処理を実行することのできる管理装置、管理方法及びプログラムを提案する。
【課題を解決するための手段】
【０００６】
本発明の管理装置は、無線端末から音声信号と位置情報とを受信する受信部と、予め設定された複数のエリアのそれぞれに対し時間帯に応じて対応付けられた複数のノイズキャンセル設定データをテーブルとして記憶する記憶部と、前記ノイズキャンセル設定データを、前記位置情報と前記音声信号を受信した時刻とに基づいて、前記テーブルから選択する設定部と、前記設定部が選択したノイズキャンセル設定データに従って、前記音声信号に対するノイズキャンセル処理を実行し、ノイズキャンセル処理済みの音声信号を生成するノイズキャンセル処理部と、前記ノイズキャンセル処理済みの音声信号を、前記無線端末とは異なる他の無線端末に送信する送信部と、を備える。
【０００７】
本発明の管理方法は、無線端末から音声信号を受信する受信ステップと、前記音声信号を受信した時刻と前記音声信号を受信した時刻の直近に受信した位置情報とに基づいて、予め設定された複数のエリアのそれぞれに対し時間帯に応じて対応付けられた複数のノイズキャンセル設定データのテーブルからノイズキャンセル設定データを選択する設定ステップと、前記設定ステップで選択されたノイズキャンセル設定データに従って、前記音声信号に対するノイズキャンセル処理を実行し、ノイズキャンセル処理済みの音声信号を生成するノイズキャンセル処理ステップと、前記ノイズキャンセル処理済みの音声信号を、前記無線端末とは異なる他の無線端末に送信する送信ステップと、を含む。
【０００８】
本発明のプログラムは、管理装置のコンピュータに、無線端末から音声信号と位置情報とを受信させる受信ステップと、前記音声信号を受信した時刻と前記音声信号を受信した時刻の直近に受信した位置情報とに基づいて、予め設定された複数のエリアのそれぞれに対し時間帯に応じて対応付けられた複数のノイズキャンセル設定データのテーブルからノイズキャンセル設定データを選択させる設定ステップと、前記設定ステップで選択されたノイズキャンセル設定データに従って、前記音声信号に対するノイズキャンセル処理を実行させ、ノイズキャンセル処理済みの音声信号を生成させるノイズキャンセル処理ステップと、前記ノイズキャンセル処理済みの音声信号を、前記無線端末とは異なる他の無線端末に送信させる送信ステップと、を実行させる。
【発明の効果】
【０００９】
本発明によれば、無線端末の消費電力を抑制しつつ、使用環境に応じた最適なノイズキャンセル処理を実行することができる。
【図面の簡単な説明】
【００１０】
【図１】図１は、本発明の第一実施形態に係る無線通信システムを説明するための概略図である。
【図２】図２は、本発明の第一実施形態に係る管理装置の構成の一例を示すブロック図である。
【図３】図３は、ノイズキャンセル設定データを説明するための模式図である。
【図４】図４は、ノイズキャンセル設定データを説明するための模式図である。
【図５】図５は、本発明の第一実施形態に係る無線端末の構成の一例を示すブロック図である。
【図６】図６は、本発明の第一実施形態に係る管理装置の処理の流れの一例を示すフローチャートである。
【図７】図７は、本発明の第一実施形態に係る管理装置の処理の流れの一例を示すフローチャートである。
【図８】図８は、本発明の第二実施形態に係る管理装置の構成の一例を示すブロック図である。
【図９】図９は、本発明の第二実施形態に係る管理装置の処理の流れの一例を示すフローチャートである。
【図１０】図１０は、本発明の第三実施形態に係る無線端末の構成の一例を示すブロック図である。
【図１１】図１１は、本発明の第三実施形態に係る無線端末の処理の流れの一例を示すフローチャートである。
【発明を実施するための形態】
【００１１】
以下、添付図面を参照して、本発明に係る実施形態を詳細に説明する。なお、この実施形態により本発明が限定されるものではなく、実施形態が複数ある場合には、各実施形態を組み合わせて構成するものも含む。また、以下の各実施形態において、同一の部位には同一の符号を付することにより重複する説明を省略する。
【００１２】
[第一実施形態]
図１を用いて、本発明の第一実施形態に係る無線通信システムの構成について説明する。図１は、本発明の第一実施形態に係る無線通信システムを説明するための概略図である。
【００１３】
無線通信システム１は、管理装置１００と、複数の無線端末２００とを含む。管理装置１００と、複数の無線端末２００とは、ネットワーク３００を介して、通信可能に接続されている。無線端末２００は、管理装置１００を介して他の無線端末２００に対し音声信号を送信する。管理装置１００は、無線端末２００から受信した音声信号のノイズに対してノイズキャンセル処理を実行し、ノイズキャンセル後の音声信号を他の無線端末２００に送信する。すなわち、本実施形態では、無線端末２００はノイズキャンセル処理を行わずに、管理装置１００でノイズキャンセル処理を実行する。
【００１４】
図２を用いて、本発明の第一実施形態に係る管理装置１００の構成について説明する。図２は、本発明の第一実施形態に係る管理装置１００の構成の一例を示すブロック図である。
【００１５】
管理装置１００は、記憶部１１１と、制御部１１２と、アンテナ１１３とを備える。
【００１６】
記憶部１１１は、種々のデータを記憶する。記憶部１１１は、例えば無線端末２００から受信した音声信号に対して、ノイズキャンセル処理を実行するためのノイズキャンセル設定データを記憶している。記憶部１１１は、ノイズの種類に応じたノイズキャンセル設定データを複数記憶している。記憶部１１１は、例えば、工場などに配置された機械の稼働音、空港などで航空機が発する音、サイレン音などのノイズをキャンセルするためのノイズキャンセル設定データをそれぞれ記憶している。記憶部１１１は、予め設定された特定のエリアを示す地図データを記憶している。エリアとは地図上の領域である。予め設定された特定のエリアは、例えば工場周辺や空港周辺など、ノイズの発生源となる場所を含むエリアであり、記憶部１１１に複数記憶している。記憶部１１１は、例えば、制御部１１２の各部を実現させるためのプログラムを記憶している。この場合、制御部１１２は、記憶部１１１に記憶されているプログラムを展開して実行することで、各部の機能を実現する。記憶部１１１は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置で実現することができる。記憶部１１１は、複数の異なるメモリ等で構成されてもよい。  
【００１７】
エリア情報とは、ノイズの発生源（ノイズ源）として予め設定されている場所を含む特定のエリアを示す情報である。例えば、地図データを複数のマス目に分割し、ノイズ源を含むマス目を中心に設定された複数のマス目に対応する特定のエリアを示す情報がエリア情報である。記憶部１１１は、地図データ上に緯度の範囲及び経度の範囲を定めた矩形として、エリア情報を記憶している。また、地図データにおいてノイズ源の位置を中心とした所定の大きさ（例えば半径１００ｍ）の円の内部に対応する特定のエリアを示す情報をエリア情報としてもよく、あるいは地図データ上においてノイズ源の場所を含み、円や矩形以外の他の形状をなした特定のエリアを示す情報をエリア情報としてもよい。さらに、エリア情報にはエリアを示す情報とともに、そのエリアに存在するノイズ源に関する情報が含まれている。ノイズ源に関する情報とは、例えばノイズ源が発するノイズの大きさを示す情報である。
【００１８】
図３と、図４とを用いて、ノイズキャンセル設定データについて説明する。図３と、図４とは、ノイズキャンセル設定データを説明するための模式図である。
【００１９】
図３には、音声信号の送信元エリアと、そのエリアに対応するノイズキャンセル設定データが対応付けられたテーブル４００が示されている。
【００２０】
エリア情報として、送信元エリアＡ１を例に説明すると、送信元エリアＡ１には、ノイズキャンセル設定データＤ１が対応付けられている。送信元エリアＡ１が示すエリアは、予め設定された特定のエリアのうちのいずれかである。送信元エリアＡ１には、送信元エリアＡ１内に存在する、ノイズの発生源に関する情報が含まれている。送信元エリアＡ１には、送信元エリアＡ１に存在するノイズの発生源が発するノイズの種類及びノイズの大きさなどに関する情報が含まれている。送信元エリアＡ１のノイズに関する情報は、自動又は手動で適宜更新される。ノイズに関する情報の更新については、後述する。以降、送信元エリアＡ１が示すエリアを、便宜的に送信元エリアＡ１として説明する。
【００２１】
ノイズキャンセル設定データＤ１は、送信元エリアＡ１内から送信された音声信号に対してノイズキャンセル処理を実行するための設定データである。ノイズキャンセル設定データＤ１は、送信元エリアＡ１から送信された音声信号に含まれるノイズをキャンセルできるような設定値に設定されている。すなわち、本実施形態は、音声信号が送信されるエリアに応じて、ノイズキャンセル設定データの設定値を変更する。
【００２２】
音声信号が送信されるエリアが同じでも、例えば、そのエリアに存在する工場の稼働時間や、空港へ飛行機が離着陸する時間帯に応じて、ノイズの種類や大きさは異なる。そのため、時間帯に応じて、ノイズキャンセル設定データの設定値を変更してもよい。時間帯とは、例えば９時から１５時までなど、開始時刻と終了時刻とを含んだ情報である。
【００２３】
図４には、送信元エリアＡ１において、時間帯と、その時間帯に対応するノイズキャンセル設定データが対応付けられたテーブル５００が示されている。
【００２４】
時間帯Ｔ１を例に説明すると、送信元エリアＡ１における時間帯Ｔ１には、ノイズキャンセル設定データＤ１１が対応付けられている。ノイズキャンセル設定データＤ１１は、時間帯Ｔ１の送信元エリアＡ１から送信された音声信号に対してノイズキャンセル処理を実行するための設定データである。
【００２５】
テーブル５００における、時間帯Ｔ１と、時間帯Ｔ２と、時間帯Ｔ３とは、送信元エリアＡ１で発生するノイズの変化に応じて区分けされた時間帯である。時間帯は、朝、昼、夜といった区分けであってもよいし、数時間ごとに区分けされてもよい。すなわち、テーブル５００には、複数のエリアのそれぞれに対し時間帯に応じて対応付けられた複数のノイズキャンセル設定データが示されている。言い換えれば、テーブル５００には、複数のエリアのそれぞれに対し時間帯に応じて対応付けられた複数のノイズキャンセル設定データが示されている。時間帯は、エリアごとに異なる区分け方であってもよい。エリアで発生するノイズの変化をリアルタイムで把握できる場合には、リアルタイムで設定するノイズキャンセル設定データを変更してもよい。リアルタイムでノイズキャンセル設定データを変更する場合には、例えば突発的に発生したサイレン音などのノイズをキャンセルすることができる。
【００２６】
再び図２を参照する。制御部１１２は、受信部１２１と、設定部１２２と、ノイズキャンセル処理部１２３と、送信部１２４とを備える。制御部１１２は、例えば記憶部１１１に記憶されているプログラムを展開して実行することで、制御部１１２が備える各部の機能を実現する。制御部１１２は、例えば、ＣＰＵ（Central  Processing  Unit）を含む電子的な回路で実現することができる。
【００２７】
受信部１２１は、アンテナ１１３を介して外部から送信された信号を受信する。受信部１２１は、アンテナ１１３を介して無線端末２００から送信された音声信号を受信する。受信部１２１は、例えば無線端末２００から、その無線端末２００の現在位置に関する情報を受信してもよい。受信部１２１は、例えば無線端末２００が収集したノイズに関する情報を受信してもよい。受信部１２１は、ノイズに関する情報を所定の間隔（例えば、１時間）で定期的に受信してもよいし、無線端末２００が移動するなどして無線端末２００の位置するエリアが変わった時に受信してもよいし、無線端末２００による通話が行われるごとに受信してもよい。受信部１２１は、受信した音声信号及び情報を設定部１２２に出力する。ノイズに関する情報とは、無線端末２００が録音した、ノイズが含まれた音声データと、録音した位置と時刻とを含む情報である。
【００２８】
設定部１２２は、受信部１２１から受けた音声信号に対し、音声信号に含まれるノイズをキャンセルするためのノイズキャンセル設定データを選択する。ノイズキャンセル設定データはノイズキャンセルフィルタとも呼ばれる。設定部１２２は、例えば受信部１２１から受けた無線端末２００の位置情報を、記憶部１１１が記憶する地図データに基づいて、エリア情報に変換する。変換されたエリア情報は、送信元から受信した位置情報が示す位置を含むエリアを示す情報である。設定部１２２は、エリア情報に基づいて、記憶部１１１が記憶している図３又は図４に示されたテーブル４００又はテーブル５００を参照し、音声信号に設定すべきノイズキャンセル設定データを選択する。設定部１２２は、音声信号と、選択されたノイズキャンセル設定データに関する情報をノイズキャンセル処理部１２３に出力する。ここで、ノイズキャンセル設定データに関する情報とは、記憶部１１１に記憶されたノイズキャンセル設定データを指し示す情報であり、例えば各ノイズキャンセル設定データを一意に識別する識別子データ、あるいは各ノイズキャンセル設定データが記憶された場所を示すメモリアドレスなどである。
【００２９】
ノイズキャンセル処理部１２３は、設定部１２２から受けた音声信号に対して、ノイズキャンセル処理を実行する。ノイズキャンセル処理部１２３は、設定部１２２によって選択されたノイズキャンセル設定データを記憶部１１１から読み出し、読み出したノイズキャンセル設定データに従って、音声信号に対してノイズキャンセル処理を実行する。ノイズキャンセル処理部１２３は、例えば音声信号に対してノイズキャンセル処理を複数回実行してもよい。ノイズキャンセル処理部１２３は、例えば音声信号に対してノイズキャンセル処理を実行し、ノイズキャンセル処理後の音声信号を送信部１２４に出力する。ノイズキャンセル処理部１２３が実行するノイズキャンセル処理に特に制限はなく、周知の方法を用いてよい。
【００３０】
ノイズキャンセル処理部１２３は、ノイズキャンセル処理後の音声信号の音声の品質を評価してもよい。ノイズキャンセル処理部１２３は、音声の品質として、例えばＰＥＳＱ（Perceptual  Evaluation  of  Speech  Quality）値を算出する。この場合、ノイズキャンセル処理部１２３は、ＰＥＳＱ値の値が予め定められた閾値以上になった場合にのみ、ノイズキャンセル処理後の音声信号を送信部１２４に出力する。
【００３１】
送信部１２４は、ノイズキャンセル処理後の音声信号を、アンテナ１１３を介して外部に送信する。送信部１２４は、音声信号を送信した無線端末２００とは異なる他の無線端末２００に対して、ノイズキャンセル処理後の音声信号を、アンテナ１１３を介して送信する。
【００３２】
アンテナ１１３は、少なくとも無線端末２００の信号を受信したり、無線端末２００に信号を送信したりできるように構成されている。アンテナ１１３は、周知の技術を用いて構成すればよい。
【００３３】
図５を用いて、本発明の第一実施形態に係る無線端末２００の構成について説明する。図５は、本発明の第一実施形態に係る無線端末２００の構成の一例を示すブロック図である。
【００３４】
無線端末２００は、記憶部２１１と、受信アンテナ２１２と、受信部２１３と、制御部２１４と、集音部２１５と、増幅部(Amplifier；以下ＡＭＰと称する)２１６と、アナログデジタル変換部（Analog  to  Digital  Converter；以下ＡＤＣと称する）２１７と、変調処理部２１８と、アンテナ２１９とを有する。
【００３５】
記憶部２１１は、種々のデータを記録する。記憶部２１１は、例えば、無線端末２００の各部を実現させるためのプログラムを記憶している。この場合、制御部２１４は、記憶部２１１に記憶されているプログラムを展開して実行することで、各部を制御する。記憶部２１１は、例えば、ＲＡＭ、ＲＯＭ、フラッシュメモリなどの半導体メモリ素子、または、ハードディスク、ソリッドステートドライブ、光ディスクなどの記憶装置で実現することができる。記憶部２１１は、複数の異なるメモリ等で構成されてもよい。  
【００３６】
受信アンテナ２１２は、種々の信号を受信できるように構成されている。受信アンテナ２１２は、無線端末２００の現在位置を特定可能な信号を受信できるように構成されている。受信アンテナ２１２は、無線端末２００の現在位置を特定可能な信号として、例えば全地球航法衛星システム（ＧＮＳＳ：Global  Navigation  Satellite  System）からのＧＮＳＳ信号を受信できるように構成されている。受信アンテナ２１２は、受信した信号に応じた信号を出力する。
【００３７】
受信部２１３は、受信アンテナ２１２を介して、種々の信号を受信する。受信部２１３は、受信アンテナ２１２を介して、例えばＧＮＳＳ信号を受信する。受信部２１３は、受信したＧＮＳＳ信号を制御部２１４に出力する。
【００３８】
制御部２１４は、記憶部２１１に記憶されているプログラムを展開して実行することで、無線端末２００の各部を制御する。制御部２１４は、例えば受信部２１３から受けたＧＮＳＳ信号に基づいて、無線端末２００の現在位置を特定する。制御部２１４は、例えば、ＣＰＵを含む電子的な回路で実現することができる。制御部２１４は、無線端末２００の現在位置に関する情報を変調処理部２１８に出力する。
【００３９】
集音部２１５は、ユーザの声や、ユーザの周囲のノイズを集音する。集音部２１５は、集音したユーザの声をアナログの音声信号に変換したり、ユーザの周囲のノイズをアナログのノイズ信号に変換したりする。集音部２１５は、例えば、通常のマイクロホンで実現することできる。集音部２１５は、音声信号や、ノイズ信号をＡＭＰ２１６に出力する。
【００４０】
ＡＭＰ２１６は、入力されるアナログ信号を増幅する。ＡＭＰ２１６は、例えば、集音部２１５から受けた音声信号や、ノイズ信号を増幅する。ＡＭＰ２１６は、増幅した音声信号や、ノイズ信号をＡＤＣ２１７に出力する。ＡＭＰ２１６は、例えば、マイクアンプで実現することができる。
【００４１】
ＡＤＣ２１７は、入力されるアナログ信号をデジタル信号に変換する。ＡＤＣ２１７は、例えば、ＡＭＰ２１６から受けた音声信号や、ノイズ信号をデジタル信号に変換する。ＡＤＣ２１７は、デジタル信号に変換した音声信号や、ノイズ信号を変調処理部２１８に出力する。
【００４２】
変調処理部２１８は、受けた信号に対し、所定の変調方式を用いて変調処理を実行する。変調処理部２１８は、例えば、ＡＤＣ２１７から受けた信号を直交変調して、ＩＦ（Intermediate  Frequency）信号を生成する。変調処理部２１８は、ＩＦ信号からＲＦ(Radio  Frequency)信号を生成する。変調処理部２１８は、ＡＤＣ２１７から受けた信号に、無線端末２００の現在位置に関する情報を含めてもよい。変調処理部２１８は、例えば、局部発振器、移送器、乗算器、合成器などから実現することができる。変調処理部２１８は、生成したＲＦ信号をアンテナ２１９に出力する。  
【００４３】
アンテナ２１９は、変調処理部２１８から受けたＲＦ信号を外部の装置に送信する。アンテナ２１９は、例えば、変調処理部２１８から受けたＲＦ信号を無線端末２００とは異なる他の無線端末２００に送信する。
【００４４】
なお、無線端末２００は、図５に示した構成に限られず、周知のものを使用してもよい。
【００４５】
［第一実施形態の処理］
図６を用いて、本発明の第一実施形態に係る管理装置１００の制御部１１２の処理について説明する。図６は、本発明の第一実施形態に係る管理装置１００の制御部１１２の処理の流れの一例を示すフローチャートである。
【００４６】
制御部１１２は、無線端末２００から音声信号を受信する（ステップＳ１０１）。そして、制御部１１２は、ステップＳ１０２に進む。
【００４７】
制御部１１２は、音声信号に含まれるノイズをキャンセルするためのノイズキャンセル設定データを選択する（ステップＳ１０２）。そして、制御部１１２は、ステップＳ１０３に進む。
【００４８】
制御部１１２は、選択されたノイズキャンセル設定データを記憶部１１１から読み出し、ノイズキャンセル設定データに従ってノイズキャンセル処理を実行する（ステップＳ１０３）。そして、制御部１１２は、ステップＳ１０４に進む。
【００４９】
制御部１１２は、ステップＳ１０３において出力された音声信号を他の無線端末２００に送信する（ステップＳ１０４）。そして、制御部１１２は、図６の処理を終了する。
【００５０】
図７を用いて、本発明の第一実施形態に係る管理装置１００の制御部１１２の図６とは異なる処理について説明する。ここで、管理装置１００は無線端末２００の現在の位置情報を定期的に受信するものとし、音声信号を受信した際の処理においては、当該音声信号を受信する前において直近に受信した位置情報を用いるものとして処理を説明する。図７は、本発明の第一実施形態に係る管理装置１００の制御部１１２の図６とは異なる処理の流れの一例を示すフローチャートである。
【００５１】
制御部１１２は、無線端末２００から無線端末２００の現在の位置情報を受信する（ステップＳ２０１）。そして、制御部１１２は、ステップＳ２０２に進む。
【００５２】
制御部１１２は、無線端末２００から音声信号を受信する（ステップＳ２０２）。そして、制御部１１２は、ステップＳ２０３に進む。
【００５３】
制御部１１２は、無線端末２００から受信した位置情報をエリア情報に変換する（ステップＳ２０３）。そして、制御部１１２は、ステップＳ２０４に進む。
【００５４】
制御部１１２は、エリア情報のみを用いてノイズキャンセル設定データを選択する場合は、エリア情報に基づいて、記憶部１１１が記憶している図３に示されたテーブル４００におけるエリアを特定し、特定したエリアに対応するノイズキャンセル設定データを選択し、ノイズキャンセル設定データに関する情報をノイズキャンセル処理部１２３へ設定する（ステップＳ２０４）。エリア情報と時間帯とを用いてノイズキャンセル設定データを選択する場合は、エリア情報と受信部１２１から音声信号を受けた時刻とに基づいて、記憶部１１１が記憶している図４に示されたテーブル５００におけるエリアと時間帯とを特定し、対応するノイズキャンセル設定データを選択し、ノイズキャンセル設定データに関する情報をノイズキャンセル処理部１２３へ設定する。時間帯を特定する場合、管理装置１００が無線端末２００から音声信号を受信した時刻が含まれる時間帯を用いてもよいし、管理装置１００が無線端末２００から受信した音声信号に時刻情報が含まれている場合は、その時刻情報が示す時刻が含まれる時間帯を用いてもよい。そして、制御部１１２は、ステップＳ２０５に進む。
【００５５】
ステップＳ２０５と、ステップＳ２０６は、それぞれ図６に図示のステップＳ１０３と、ステップＳ１０４と同様なので、説明は省略する。
【００５６】
ステップＳ２０４において、無線端末２００の現在位置が、記憶部１１１に設定されているどのエリアにも含まれなかった場合、または無線端末２００の現在位置が含まれるエリアが記憶部１１１に設定されてあり、無線端末２００から受信した時刻を含む時間帯が設定されていなかった場合は、所定の（デフォルトの）ノイズキャンセル設定データを選択するようにしてステップＳ２０５へ進んでもよいし、あるいは音声信号にノイズが含まれなかったと見なし、ノイズキャンセル処理を実行せずに音声信号を他の無線端末２００に送信して、制御部１１２の処理を終了してもよい。
【００５７】
管理装置１００におけるノイズキャンセル設定データの更新について説明する。まず、受信部１２１がノイズに関する情報として、無線端末２００が録音した所定の長さの音声データと録音した際の位置情報と録音時刻とを受信し、位置情報が示す位置を含むエリアを更新対象エリアとし、録音時刻を含む時間帯を更新対象時間帯とする。次に、制御部１１２は、ノイズに関する情報に含まれる音声データをノイズキャンセル処理部１２３へ入力する。そして、ノイズキャンセル処理部１２３は、記憶部１１１からノイズキャンセル設定データを所定の順番で読み出し、ノイズキャンセル処理を実行し、ノイズキャンセル処理後の音声の品質に対するＰＥＳＱ値を算出する。読み出す順番は、例えばノイズキャンセル処理の処理負荷が小さい順番である。このようにして、ノイズキャンセル処理部１２３は、ＰＥＳＱ値が予め定められた閾値以上になるまでノイズキャンセル処理を繰り返す。
【００５８】
ノイズキャンセル処理部１２３は、ＰＥＳＱ値が予め定められた閾値以上であった場合に用いられたノイズキャンセル設定データを、新たなノイズキャンセル設定データとして出力する。
【００５９】
制御部１１２は、図３に示すテーブル４００を更新する場合、テーブル４００における更新対象エリアに対応するノイズキャンセル設定データを特定し、新たなノイズキャンセル設定データに関する情報を上書きする。制御部１１２は、図４に示すような時間帯を含むテーブル５００を更新する場合、テーブル５００における更新対象エリアと更新対象時間帯とに対応するノイズキャンセル設定データを特定し、新たなノイズキャンセル設定データに関する情報を上書きする。
【００６０】
無線端末２００が、ノイズに関する情報を送信する処理は、例えばユーザがネットワーク３００に接続されたバッテリ充電装置（図示せず）に、無線端末２００を接続した際に実行するようにしてもよい。無線端末２００には、所定の位置及び所定の時刻における所定の長さの音声データが、位置情報と時刻情報とともに記憶されている。バッテリ充電装置は、自装置に無線端末２００が接続されたことを検知した場合に、ノイズに関する情報を無線端末２００から読み出し、ネットワーク３００を介して管理装置１００へ送信する。または、通話時に録音した所定の長さの音声データとその際の位置情報と時刻情報とを、所定の間隔（例えば１時間）で管理装置１００へ送信するようにしてもよい。その他、ノイズに関する情報を管理装置１００へ送信する方法は、ここの記載した方法に限らず、ネットワーク３００または無線通信を利用した様々な方法でもよい。
【００６１】
上述のとおり、本実施形態は、管理装置１００で、音声信号が送信されたエリアや時間帯に応じて、音声信号に含まれるノイズをキャンセルするためのノイズキャンセル設定データを設定することができる。これにより、管理装置１００は、無線端末２００の使用環境に応じて、音声信号に含まれるノイズをキャンセルするためのノイズキャンセル処理を適切に実行することができる。その結果、本実施形態は、ユーザの自己判断に依存しない、適切なノイズキャンセル処理を実行することができる。
【００６２】
本実施形態は、無線端末２００の代わりに管理装置１００で、ノイズキャンセル処理を実行する。管理装置１００は、無線端末２００と比較すると、より多くのノイズキャンセル設定データを記憶することができる。管理装置１００は、無線端末２００と比較すると、負荷の大きな処理を実行することができる。これにより、管理装置１００は、無線端末２００と比較すると、音声信号に対して、より適切なノイズキャンセル設定データを設定して、ノイズキャンセル処理を実行することができる。また、管理装置１００は、無線端末２００と比較すると、短い時間で、より多くのノイズキャンセル処理を実行することができる。また、適宜ノイズキャンセル設定データを更新するので、最新の状況に応じたノイズキャンセル処理を実行することができる。その結果、本実施形態は、より適切なノイズキャンセル処理を実行することができる。
【００６３】
本実施形態は、無線端末２００の代わりに管理装置１００で、ノイズキャンセル処理を実行する。これにより、本実施形態は、無線端末２００の構成を変更することなく、ノイズキャンセル処理を実行することができる。そのため、本実施形態は、例えば、ノイズキャンセル機能を有していない無線端末２００に対しても、ノイズをキャンセルした音声信号を提供することができる。
【００６４】
本実施形態は、無線端末２００の代わりに管理装置１００で、ノイズキャンセル処理を実行する。これにより、本実施形態は、処理の大きなノイズキャンセル処理を無線端末２００で実行する必要がなくなる。その結果、本実施形態は、無線端末２００のバッテリ消費を低減することができる。
【００６５】
なお、上述した実施形態では、無線端末２００からの音声信号は、１つの管理装置１００を介して、他の無線端末２００に送信されているが、これは例示であり、本発明を限定するものではない。無線端末２００からの音声信号は、複数の管理装置１００を介して、他の無線端末２００に送信されてもよい。この場合、無線端末２００が音声信号をアナログ信号として送信する場合には、音声信号の劣化の観点からは、１段目の管理装置１００でノイズキャンセル処理を実行することが好ましい。また、無線端末２００が音声信号をデジタル信号で送信する場合には、複数の管理装置１００のうち、処理が空いている管理装置１００でノイズキャンセル処理を実行すればよい。
【００６６】
［第二実施形態］
図８を用いて、本発明の第二実施形態に係る管理装置１００Ａの構成について説明する。図８は、本発明の第二実施形態に係る管理装置１００Ａの構成を示すブロック図である。なお、上述した実施形態と同様の機能を有する部材には、同一の符号を付して詳細な説明は省略する。
【００６７】
管理装置１００Ａは、記憶部１１１と、制御部１１２Ａと、アンテナ１１３と、ＡＧＣ（Automatic  Gain  Control）回路１１４と、イコライザ（Equalizer；以下、ＥＱと称する）１１５と、スピーカ１１６とを備える。管理装置１００Ａは、制御部１１２Ａが送信部を備えていない点と、ＡＧＣ１１４と、ＥＱ１１５と、スピーカ１１６とを備えている点で、図２に図示の管理装置１００とは異なっている。
【００６８】
管理装置１００Ａは、無線端末２００から音声信号を受信すると、音声信号に対してノイズキャンセル処理を実行した後、音声を他の無線端末２００に送信しないで、スピーカ１１６から音声を出力する。
【００６９】
ＡＧＣ回路１１４は、受けた信号の強度を増幅する。ＡＧＣ回路１１４は、例えば、ノイズキャンセル処理部１２３から受けた、ノイズキャンセル処理が実行された音声信号の強度を増幅する。ＡＧＣ回路１１４は、例えば、増幅した音声信号をＥＱ１１５に出力する。
【００７０】
ＥＱ１１５は、受けた信号の特定の周波数帯域部分を調整する。ＥＱ１１５は、例えば、ＡＧＣ回路１１４から受けた音声信号の特定の周波数帯域部分を調整する。具体的には、ＥＱ１１５は、例えば、ＡＧＣ回路１１４から受けた音声信号の特定の周波数帯域部分の強度を強くしたり、弱くしたりする。ＥＱ１１５は、例えば、調整した音声信号をスピーカ１１６に出力する。
【００７１】
スピーカ１１６は、種々の音声を出力する。スピーカ１１６は、ＥＱ１１５から受けた音声信号を音声として出力する。
【００７２】
音声出力端子１１７は、種々の音声信号を出力する。例えば、音声出力端子１１７は、ＥＱ１１５から受けた音声信号を出力する。ユーザは音声出力端子１１７に例えばヘッドホンを接続し、音声を聴取することができる。
【００７３】
図９を用いて、本発明の第二実施形態に係る管理装置１００Ａの制御部１１２Ａの処理について説明する。図９は、本発明の第二実施形態に係る管理装置１００Ａの制御部１１２Ａの処理の流れの一例を示すフローチャートである。
【００７４】
ステップＳ３０１からステップＳ３０３の処理は、図６に図示のステップＳ１０１からステップＳ１０３の処理と同様なので、説明は省略する。
【００７５】
ステップＳ３０３の後、制御部１１２Ａは、ノイズキャンセル処理が実行された音声信号をＡＧＣ１１４に出力する（ステップＳ３０４）。音声信号は、ＡＧＣ１１４によって増幅され、ＥＱ１１５によって周波数帯域部分が調整された後、スピーカ１１６及び音声出力端子１１７から出力される。
【００７６】
上述のとおり、本実施形態は、無線端末から受信した音声信号をノイズキャンセル処理した後、スピーカ及び音声出力端子から出力することができる。これにより、本実施形態は、管理装置側で、無線端末から受信した音声信号の音声を聞くことができる。その結果、本実施形態は、無線端末の音声信号を受信する受信装置して使用することができる。
【００７７】
［第三実施形態］
図１０を用いて、第三実施形態に係る無線端末の構成について説明する。図１０は、第三実施形態に係る無線端末の構成の一例を示すブロック図である。
【００７８】
無線端末２００Ａは、記憶部２１１と、受信アンテナ２１２と、受信部２１３と、制御部２１４と、集音部２１５と、ＡＭＰ２１６と、ＡＤＣ２１７と、変調処理部２１８と、バッテリ２２０と、バッテリ残量検出部２２１と、第一ＲＦＳＷ（Radio  Frequency  Switch）２２２と、ノイズキャンセル処理部２２３と、ＡＧＣ回路２２４と、ＥＱ２２５と、第二ＲＦＳＷ２２６とを備える。無線端末２００Ａは、図５に図示の無線端末２００と比較すると、バッテリ２２０のバッテリ残量を検出するバッテリ残量検出部２２１と、第一ＲＦＳＷ２２２と、ノイズキャンセル処理部２２３と、ＡＧＣ回路２２４と、ＥＱ２２５と、第二ＲＦＳＷ２２６とを備える点で、無線端末２００とは異なっている。
【００７９】
無線端末２００Ａは、バッテリ２２０のバッテリ残量に応じて、実行する処理を変更する。無線端末２００Ａは、バッテリ２２０のバッテリ残量が所定値以上であれば、無線端末２００Ａ側でノイズキャンセル処理を実行する。無線端末２００Ａは、バッテリ残量が所定値未満であれば、管理装置１００側でノイズキャンセル処理を実行する。
【００８０】
受信部２１３は、受信アンテナ２１２を介して、ＧＮＳＳ信号を含む種々の信号を受信する。受信部２１３は、受信アンテナ２１２を介して、管理装置１００から現在位置に応じたノイズキャンセル設定データに関する情報を受信する。受信部２１３は、受信したＧＮＳＳ信号及びノイズキャンセル設定データに関する情報などを制御部２１４に出力する。
【００８１】
制御部２１４は、受信部２１３から受けたＧＮＳＳ信号に基づいて無線端末２００Ａの現在位置を特定し、無線端末２００Ａの現在位置に関する情報を変調処理部２１８に出力する。制御部２１４は、現在位置に関する情報を所定の間隔（例えば１分）で定期的に出力してもよいし、任意のタイミング（音声送信前の直近など）で出力してもよい。
【００８２】
制御部２１４は、第一ＲＦＳＷ２２２、ノイズキャンセル処理部２２３、第二ＲＦＳＷ２２６を制御する。制御部２１４は、バッテリ残量検出部２２１から受けたバッテリ２２０のバッテリ残量に関する情報に基づいて、第一ＲＦＳＷ２２２を切り替える。制御部２１４は、バッテリ２２０のバッテリ残量が所定値以上である場合に、ＡＤＣ２１７からのデジタル信号がノイズキャンセル処理部２２３に入力されるように、第一ＲＦＳＷ２２２を切り替える。制御部２１４は、バッテリ２２０のバッテリ残量が所定値未満である場合に、ＡＤＣ２１７からのデジタル信号が第二ＲＦＳＷ２２６に入力されるように、第一ＲＦＳＷ２２２を切り替える。
【００８３】
制御部２１４は、バッテリ２２０のバッテリ残量が所定値以上である場合には、ノイズキャンセル処理部２２３を制御する。制御部２１４は、管理装置１００へ、ノイズキャンセル設定データに関する情報を要求する。制御部２１４は、ノイズをキャンセルするために、ノイズキャンセル設定データに関する情報を管理装置１００から受信する。ノイズキャンセル設定データに関する情報は、無線端末２００から要求することなく、管理装置１００から送信されるようにしてもよい。受信したノイズキャンセル設定データに関する情報は、無線端末２００の現在位置に応じたノイズキャンセル処理用の設定データを示す情報である。制御部２１４は、ノイズキャンセル設定データに関する情報をノイズキャンセル処理部２２３に出力する。
【００８４】
バッテリ２２０は、無線端末２００Ａに電力を供給する。バッテリ２２０は、リチウムイオン電池及びニッケル水素電池などで構成される。
【００８５】
バッテリ残量検出部２２１は、バッテリ２２０のバッテリ残量を検出する。バッテリ残量検出部２２１は、例えばバッテリ２２０の電圧に基づいて、バッテリ２２０のバッテリ残量を検出する。バッテリ残量検出部２２１は、バッテリ２２０の充電量を制御する、図示しない充電制御回路からバッテリ２２０のバッテリ残量を検出してもよい。バッテリ残量検出部２２１は、検出したバッテリ残量に関する情報を制御部２１４に出力する。
【００８６】
第一ＲＦＳＷ２２２は、スイッチ回路である。第一ＲＦＳＷ２２２は、制御部２１４からの制御信号に従って、ＡＤＣ２１７からのデジタル信号をノイズキャンセル処理部２２３に出力するか否かを切り替える。第一ＲＦＳＷ２２２は、制御部２１４からの制御信号に従って、ＡＤＣ２１７からのデジタル信号をノイズキャンセル処理部２２３または第二ＲＦＳＷ２２６に出力する。
【００８７】
ノイズキャンセル処理部２２３は、第一ＲＦＳＷ２２２から受けた音声信号に対して、ノイズキャンセル処理を実行する。ノイズキャンセル処理部２２３は、制御部２１４から受けたノイズキャンセル設定データに関する情報に基づいて、ノイズキャンセル設定データを記憶部２１１から読み出して、読み出したノイズキャンセル設定データに従って、音声信号に対してノイズキャンセル処理を実行する。ノイズキャンセル処理を実行した音声信号を変調処理部２１８に出力する。
【００８８】
ＡＧＣ回路２２４は、受けた信号の強度を増幅する。ＡＧＣ回路２２４は、例えば、ノイズキャンセル処理部２２３から受けた、ノイズキャンセル処理が実行された音声信号の強度を増幅する。ＡＧＣ回路２２４は、増幅した音声信号をＥＱ２２５に出力する。
【００８９】
ＥＱ２２５は、受けた信号の特定の周波数帯域部分を調整する。ＥＱ２２５は、例えば、ＡＧＣ回路２２４から受けた音声信号の特定の周波数帯域部分を調整する。具体的には、ＥＱ２２５は、例えば、ＡＧＣ回路２２４から受けた音声信号の特定の周波数帯域部分の強度を強くしたり、弱くしたりする。ＥＱ２２５は、調整した音声信号を第二ＲＦＳＷ２２６に出力する。
【００９０】
第二ＲＦＳＷ２２６は、第一ＲＦＳＷ２２２からデジタル信号を受けた場合には、そのデジタル信号を変調処理部２１８に出力する。第二ＲＦＳＷ２２６は、調整された音声信号を受けた場合には、その音声信号を変調処理部２１８に出力する。
【００９１】
図１１を用いて、本実施形態に係る無線端末２００Ａの制御部２１４の処理について説明する。図１１は、本実施形態に係る無線端末２００Ａの制御部２１４の処理の流れの一例を示すフローチャートである。なお、受信部２１３が受信したＧＮＳＳ信号に基づいて無線端末２００Ａの現在位置を特定し、無線端末２００Ａの現在位置に関する情報を変調処理部２１８に出力する処理については、説明を省略する。
【００９２】
まず、制御部２１４は、バッテリ２２０のバッテリ残量を取得する（ステップＳ４０１）。そして、制御部２１４は、ステップＳ４０２に進む。
【００９３】
制御部２１４は、バッテリ２２０のバッテリ残量が所定値以上であるか否かを判定する（ステップＳ４０２）。バッテリ残量が所定値以上であると判定された場合（ステップＳ４０２のＹｅｓ）、制御部２１４は、第一ＲＦＳＷ２２２を制御し、ＡＤＣ２１７からのデジタル信号をノイズキャンセル処理部２２３に出力するように切り替えるとともに、第二ＲＦＳＷ２２６を制御し、ＥＱ２２５からの信号を変調処理部２１８に出力するように切り替え、ステップＳ４０３に進む。一方、バッテリ残量が所定値未満であると判定された場合（ステップＳ４０２のＮｏ）、制御部２１４は、第一ＲＦＳＷ２２２を制御し、ＡＤＣ２１７からのデジタル信号を第二ＲＦＳＷ２２６に出力するように切り替えるとともに、第二ＲＦＳＷ２２６を制御し、第一ＲＦＳＷ２２２からの信号を変調処理部２１８に出力するように切り替え、ステップＳ４０７に進む。
【００９４】
ステップＳ４０３では、制御部２１４は、受信部２１３が管理装置１００から受信したノイズキャンセル設定データに関する情報を取得する（ステップＳ４０３）。そして、制御部２１４は、ステップＳ４０４に進む。
【００９５】
制御部２１４は、取得したノイズキャンセル設定データに関する情報が示すノイズキャンセル設定データを記憶部２１１から読み出し、ノイズキャンセル処理部２２３に設定する（ステップＳ４０４）。そして、制御部２１４は、ステップＳ４０５に進む。
【００９６】
制御部２１４は、ノイズキャンセル処理部２２３を制御し、設定されたノイズキャンセル設定データに従って、第一ＲＦＳＷ２２２からのデジタル信号に対してノイズキャンセル処理を実行するようにする（ステップＳ４０５）。そして、制御部２１４は、ステップＳ４０６に進む。
【００９７】
制御部２１４は、ノイズキャンセル処理部２２３を制御し、ノイズキャンセル処理後の音声信号を、第二ＲＦＳＷ２２６を介して変調処理部２１８へ出力するようにする（ステップＳ４０６）。制御部２１４は、ステップ４０６の処理によって、ノイズキャンセル処理後の音声信号を管理装置１００に送信する。ステップＳ４０６では、制御部２１４は、管理装置１００を介さずに、他の無線端末にノイズキャンセル後の音声信号を送信してもよい。そして、制御部２１４は、図１１の処理を終了する。
【００９８】
ステップＳ４０７では、制御部２１４は、ノイズキャンセル要求及び音声信号を管理装置１００に送信する（ステップＳ４０７）。そして、制御部２１４は、図１１の処理を終了する。
【００９９】
上述のとおり、本実施形態は、無線端末のバッテリの残容量が所定値未満になると、ノイズキャンセル処理を実行する主体を無線端末から管理装置に切り替えることができる。これにより、本実施形態は、無線端末のバッテリの残量が少ないときには、処理の大きなノイズキャンセル処理を無線端末で実行する必要がなくなる。その結果、本実施形態は、無線端末のバッテリ消費をより低減することができる。
【０１００】
以上説明したように、上述の実施形態に係る管理装置１００（１００Ａ）は、無線端末２００（２００Ａ）から音声信号と位置情報とを受信する受信部１２１と、予め設定された複数のエリアのそれぞれに対し時間帯に応じて対応付けられた複数のノイズキャンセル設定データをテーブルとして記憶する記憶部１１１と、ノイズキャンセル設定データを、位置情報と音声信号を受信した時刻とに基づいて、テーブルから選択する設定部１２２と、設定部１２２が選択したノイズキャンセル設定データに従って、音声信号に対するノイズキャンセル処理を実行し、ノイズキャンセル処理済みの音声信号を生成するノイズキャンセル処理部１２３と、ノイズキャンセル処理済みの音声信号を、無線端末２００（２００Ａ）とは異なる他の無線端末に送信する送信部１２４と、を備える。
【０１０１】
また、管理装置１００Ａは、ノイズキャンセル処理済みの音声信号の音声を出力する音声出力部１１６を備える。
【０１０２】
また、管理装置１００（１００Ａ）において、設定部１２２は、複数のエリアのうちから位置情報が示す位置に基づいてエリアを特定し、複数の時間帯のうちから時刻を含む時間帯を特定することによって、テーブルからノイズキャンセル設定データを選択する。
【０１０３】
上述の実施形態に係る管理方法は、無線端末２００（２００Ａ）から音声信号を受信する受信ステップと、音声信号を受信した時刻と音声信号を受信した時刻の直近に受信した位置情報とに基づいて、予め設定された複数のエリアのそれぞれに対し時間帯に応じて対応付けられた複数のノイズキャンセル設定データのテーブルからノイズキャンセル設定データを選択する設定ステップと、設定ステップで選択されたノイズキャンセル設定データに従って、音声信号に対するノイズキャンセル処理を実行し、ノイズキャンセル処理済みの音声信号を生成するノイズキャンセル処理ステップと、ノイズキャンセル処理済みの音声信号を、無線端末２００（２００Ａ）とは異なる他の無線端末に送信する送信ステップと、を含む。
【０１０４】
上述の実施形態に係るプログラムは、管理装置１００（１００Ａ）のコンピュータに、無線端末２００（２００Ａ）から音声信号を受信する受信ステップと、音声信号を受信した時刻と音声信号を受信した時刻の直近に受信した位置情報とに基づいて、予め設定された複数のエリアのそれぞれに対し時間帯に応じて対応付けられた複数のノイズキャンセル設定データのテーブルからノイズキャンセル設定データを選択する設定ステップと、設定ステップで選択されたノイズキャンセル設定データに従って、音声信号に対するノイズキャンセル処理を実行し、ノイズキャンセル処理済みの音声信号を生成するノイズキャンセル処理ステップと、ノイズキャンセル処理済みの音声信号を、無線端末２００（２００Ａ）とは異なる他の無線端末に送信する送信ステップと、を実行させる。
【０１０５】
上述の実施形態に係る管理装置１００のノイズキャンセル方法は、無線端末２００（２００Ａ）から受信した音声信号に対し、音声信号の送信元のエリアの状況に対応したノイズキャンセル設定データを選択する設定ステップと、選択されたノイズキャンセル設定データに従って、音声信号に対しノイズキャンセル処理を実行するノイズキャンセル処理ステップと、を含む。
【０１０６】
上述の実施形態に係る無線端末２００Ａのノイズキャンセル方法は、集音した音声を音声信号に変換して出力する集音ステップと、自装置の位置情報及びノイズキャンセル設定データに関する情報を取得する受信ステップと、位置情報と、ノイズキャンセル要求と、音声データとを送信する送信ステップと、自装置のバッテリの残量を検出するバッテリ残量検出ステップと、ノイズキャンセル設定データを用いて、集音した音声信号のノイズキャンセル処理を行うノイズキャンセル処理ステップと、制御ステップと、を含む。制御ステップでは、検出した自装置のバッテリの残量が所定値以上である場合に、ノイズキャンセル設定データに関する情報に対応するノイズキャンセル設定データを記憶部２１１から読み出し、音声信号に対するノイズキャンセル処理をノイズキャンセル設定データに従って実行し、送信部２１９を制御してノイズキャンセル処理後の音声信号を送信する。制御ステップでは、検出した自装置のバッテリの残量が所定値未満である場合に、位置情報と、音声信号と、ノイズキャンセル要求とを、送信部２１９を制御して送信する。
【０１０７】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１０８】
１  無線通信システム
１００  管理装置
１１１，２１１  記憶部
１１２  制御部
１１３  アンテナ
１１４，２２４  ＡＧＣ回路
１１５，２２５  ＥＱ
１１６  スピーカ（音声出力部）
１２１，２１３  受信部
１２２  設定部
１２３，２２３  ノイズキャンセル処理部
１２４  送信部
２００  無線端末
２１２  受信アンテナ
２１４  制御部
２１５  集音部
２１６  ＡＭＰ
２１７  ＡＤＣ
２１８  変調処理部
２１９  送信アンテナ（送信部）
２２０  バッテリ
２２１  バッテリ残量検出部
２２２  第一ＲＦＳＷ
２２６  第二ＲＦＳＷ
３００  ネットワーク
【図１】
2020155866.tif 000003
【図２】
2020155866.tif 000004
【図３】
2020155866.tif 000005
【図４】
2020155866.tif 000006
【図５】
2020155866.tif 000007
【図６】
2020155866.tif 000008
【図７】
2020155866.tif 000009
【図８】
2020155866.tif 000010
【図９】
2020155866.tif 000011
【図１０】
2020155866.tif 000012
【図１１】
2020155866.tif 000013